(57)【要約】【課題】収容物品の取り出しや交換を容易に行うことができるのみならず、金型のキャビティ壁に凸部を形成することなく、必要に応じて左右側面に開口部が形成される容器等を提供する。【解決手段】第１部材２と第２部材４とを結合することより構成される容器６であって、第１部材２は、底面部２１と、背面部２２と、これら底面部２１と背面部２２の両側縁に連なる相対向する左右側面の一部分２４とを備える。第２部材２は、上面部４１と、正面部４２と、これら上面部４１と背面部４２の両側縁に連なる相対向する左右側面の一部分４４とを備える。前記第１部材２には、前記底面部２１の他端部に第１係止片が形成されるとともに、背面部２２の内側面に第１係合部が形成され、前記第２部材には、前記上面部４１の他端部に前記第１係合部に係合する第２係止片が形成されるとともに、前記背面部の内側面に前記第１係止片が係合する第２係合部が形成されている。【選択図】図１
2008302944.tif 000002
【特許請求の範囲】
【請求項１】
第１部材と第２部材とを結合することより構成される容器であって、
前記第１部材は、底面部と、該底面部の一端部に立設された背面部と、これら底面部と背面部の両側縁に連なる相対向する左右側面の一部分とを備え、
前記第２部材は、上面部と、該上面部の他端部に垂設された正面部と、これら上面部と正面部の両側縁に連なる相対向する左右側面の一部分とを備え、
前記第１部材には、前記底面部の他端部に第１係止片が形成されるとともに、前記背面部の内側面に第１係合部が形成され、
前記第２部材には、前記上面部の他端部に前記第１係合部に係合する第２係止片が形成されるとともに、前記正面部の内側面に前記第１係止片が係合する第２係合部が形成されたことを特徴とする容器。
【請求項２】
前記第１部材には、前記底面部の他端部に前記第１係止片が立設されるとともに、前記背面部の内側面に上下方向に延在する前記第１係合部が形成され、
前記第２部材には、前記上面部の他端部に、前記第２係止片が垂設されるとともに、前記正面部の内側面に上下方向に延在する前記第２係合部が形成されたことを特徴とする容器。
【請求項３】
前記第１及び第２係合部は、相対向する一対の凸条からなり、前記第１及び第２係止片は前記一対の凸条間に摺動自在に係合されることを特徴とする請求項２記載の容器。
【請求項４】
前記凸条の先端部に相対向する方向に突出する突縁が形成され、前記第１及び第２係止片は前記突縁の内側に挿入されることを特徴とする請求項３記載の容器。
【請求項５】
前記第２部材の前記第２係止片と前記第１部材における背面部の内側面には、前記第２係止片を上下方向の任意の位置に支持する支持手段が設けられたことを特徴とする請求項１から４にいずれか記載の容器。
【請求項６】
前記第１部材と第２部材の左右側面の一部分は、両部材が結合された状態において面一状となることを特徴とする請求項１から５にいずれか記載の容器。
【請求項７】
前記第１部材と第２部材の左右側面の一部分は、両部材が結合された状態において、各一部分の先端部間に間隙が形成される形状であることを特徴とする請求項１から６にいずれか記載の容器。
【請求項８】
前記第１部材における左右側面の一部分と前記第２部材における左右側面の一部分とが、点対称形状であることを特徴とする請求項６又は７記載の容器。
【請求項９】
前記第２部材の上面部に複数の開口部が形成されていることを特徴する請求項１から８にいずれか記載の容器。
【請求項１０】
請求項９記載の容器内に、大気中に揮散して所定の効果を発生する揮散体を収容配置してなることを特徴とする揮散器。
【請求項１１】
前記第１部材の底面部には、前記揮散体を位置決めする位置決め手段が設けられたことを特徴とする請求項１０記載の揮散器。
【発明の詳細な説明】
【技術分野】
【０００１】
本発明は、各種物品を収容する容器、及びこの容器を用いた揮散器に関する。
【背景技術】
【０００２】
従来、底面、正面、背面、左右側面を一体的に有する容器本体と、この容器本体の上面開口部を閉鎖する開閉自在な蓋とからなる容器が汎用されている（例えば、特許文献１参照）。
【特許文献１】特開２００４−００１８３０号公報
【発明の開示】
【発明が解決しようとする課題】
【０００３】
しかしながら、従来の容器において、容器本体は底面、正面、背面、左右側面を一体的に有することから、蓋を開けて内部に収容されている物品を取り出したり、交換する際に、正面、背面、左右側面が妨げとなり、容易に収容物品の取り出しや交換を行うことができない。
【０００４】
また、金型を用いて成形される樹脂製の容器本体において、左右側面の一部に開口部を形成する場合、金型において容器本体に左右側面を成形するためのキャビティ壁に開口部に対応する凸部を形成しなければならない。このため、金型の作成が煩雑となって、容器本体の製造コストが増大してしまう。
【０００５】
さらに、同一形状の容器本体であって、左右側面の一部に開口部があるタイプと開口部がないタイプの容器本体を成形する場合には、キャビティ壁に開口部に対応する凸部がある金型と、凸部がない金型とを用意しなければならない。したがって、左右側面に開口部があるタイプと模様がないタイプの容器本体を成形する場合にも、容器本体の製造コストが増大してしまう。
【０００６】
本発明は、かかる従来の課題に鑑みてなされたものであり、収容物品の取り出しや交換を容易に行うことができるのみならず、金型のキャビティ壁に凸部を形成することなく、必要に応じて左右側面に開口部が形成される容器、及びこれを用いた揮散器を提供することを目的とする。
【課題を解決するための手段】
【０００７】
前記課題を解決するために請求項１記載の発明に係る容器は、第１部材と第２部材とを結合することより構成される容器であって、前記第１部材は、底面部と、該底面部の一端部に立設された背面部と、これら底面部と背面部の両側縁に連なる相対向する左右側面の一部分とを備え、前記第２部材は、上面部と、該上面部の他端部に垂設された正面部と、これら上面部と正面部の両側縁に連なる相対向する左右側面の一部分とを備え、前記第１部材には、前記底面部の他端部に第１係止片が形成されるとともに、前記背面部の内側面に第１係合部が形成され、前記第２部材には、前記上面部の他端部に前記第１係合部に係合する第２係止片が形成されるとともに、前記正面部の内側面に前記第１係止片が係合する第２係合部が形成されている。
【０００８】
すなわち、第１部材は、底面部と、該底面部の一端部に立設された背面部と、これら底面部と背面部の両側縁に連なる相対向する左右側面の一部分とを備えることから、第２部材を除去すると、前面及び左右側面の一部分以外の他の部分が開放状となる。したがって、第２部材を除去すれば、第１部材の底面部上に配置されて容器内に収容されている物品を取り出したり、交換する際の作業が容易となる。
【０００９】
また、第１部材の第１係止片を第２部材の第２係合部に係合し、第２部材の第２係止片を第１部材の第１係合部に係合することにより、第１部材と第２部材とを結合させて、六面を有する容器とすることができる。
【００１０】
このとき、第１及び第２部材の左右側面の一部分が相互に補完し合って、左右側面の全面を形成する場合には、左右側面に開口部のない側面無開口タイプの容器となる。また、第１及び第２部材の左右側面の一部分が補完し合うことなく、左右側面の一部分間に間隙が生ずる場合には、左右側面に開口部のある側面有開口タイプの容器となる。
【００１１】
したがって、第１及び第２部材の左右側面の一部分の形状により、側面無開口タイプと側面有開口タイプの容器とすることができる。よって、金型においてキャビティ壁に前記開口部を形成するための凸部を形成する必要がなく、しかも、金型において第１及び第２部材の左右側面の一部分を形成するキャビティの形状のみを変更することにより、側面無開口タイプと側面有開口タイプの容器とを製造することができる。
【００１２】
また、請求項２記載の発明に係る容器は、前記第１部材には、前記底面部の他端部に前記第１係止片が立設されるとともに、前記背面部の内側面に上下方向に延在する前記第１係合部が形成され、前記第２部材には、前記上面部の他端部に、前記第２係止片が垂設されるとともに、前記背面部の内側面に上下方向に延在する前記第２係合部が形成されている。
したがって、第２部材を上方から第２部材に差し込む簡単な作業により、第１部材の第１係止片を第２部材の第２係合部に係合させ、第２部材の第２係止片を第１部材の第１係合部に係合させて、第１部材と第２部材とを結合させて、六面を有する容器とすることができる。
【００１３】
また、請求項３記載の発明に係る容器は、前記第１及び第２係合部は、相対向する一対の凸条からなり、前記第１及び第２係止片は前記一対の凸条間に摺動自在に係合される。
したがって、第２部材を第１部材の上方から下方に移動させて、第２部材の第２係止片を第１部材の第１係合部に係合させ、第１部材の第１係止片を第２部材の第２係合部に係合させる簡単な操作により、第１部材と第２部材とが合体する。
【００１４】
また、請求項４記載の発明に係る容器は、前記凸条の先端部に相対向する方向に突出する突縁が形成され、前記第１及び第２係止片は前記突縁の内側に挿入される。
したがって、係合した第２部材の第２係止片と第１部材の第１係合部、及び第１部材の第１係止片と第２部材の第２係合部の離脱が防止される。
【００１５】
また、請求項５記載の発明に係る容器は、前記第２部材の前記第２係止片と前記第１部材における背面部の内側面には、前記第２係止片を上下方向の任意の位置に支持する支持手段が設けられている。
したがって、第２部材を第１部材に対して任意の高さ位置に支持することができる。
【００１６】
また、請求項６記載の発明に係る容器は、前記第１部材と第２部材の左右側面の一部分は、両部材が結合された状態において面一状となる。
したがって、第１部材と第２部材とが結合されることにより構成された容器は、左右側面においても、他の面と同様に段差のない面となる。
【００１７】
また、請求項７記載の発明に係る容器は、前記第１部材と第２部材の左右側面の一部分は、両部材が結合された状態において、各一部分の先端部間に間隙が形成される形状である。
【００１８】
したがって、前述のように、第１及び第２部材の左右側面の一部分が補完し合うことなく、左右側面の一部分間に間隙が生ずる場合には、左右側面に開口部のある側面有開口タイプの容器となる。よって、前記間隙の形状に応じて、左右側面に形成される開口部を変化させることができる。
【００１９】
また、請求項８記載の発明に係る容器は、前記第１部材における左右側面の一部分と前記第２部材における左右側面の一部分とが、点対称形状である。
これにより、前記間隙により左右側面に形成される開口部を点対称な形状にすることができる。
【００２０】
また、請求項９記載の発明に係る容器は、前記第２部材の上面部に複数の開口部が形成されている。
したがって、大気中に揮散して所定の効果を発生する揮散体を容器内に収容配置した場合において、上面部に形成された複数の開口部から外部に薬剤を揮散させることができる。
【００２１】
また、請求項１０記載の発明に係る揮散器は、前記容器内に、大気中に揮散して所定の効果を発生する揮散体を収容配置してなる。
したがって、揮散体から揮散した薬剤成分が上面部に形成された複数の開口部から外部に薬剤して、周囲空間に所定の効果を発生させる。
【００２２】
また、請求項１１記載の発明に係る揮散器は、前記第１部材の底面部には、前記揮散体を位置決めする位置決め手段が設けられている。
したがって、揮散体が容器内において常時所定位置に位置決めされることにより、揮散体からの所定の揮散率で薬剤を揮散させることができる。
【発明の効果】
【００２３】
本発明に係る容器によれば、第１部材を除去することにより、前面及び左右側面の他の部分を開放状にすることができ、第１部材の底面部上に配置されて容器内に収容されている物品を取り出したり、交換する際の作業を容易化することができる。また、第１部材と第２部材とを結合させて、六面を有する容器とすることができる。
【００２４】
また、第１及び第２部材の左右側面の一部分の形状により、側面無開口タイプと側面有開口タイプの容器とすることができる。よって、金型においてキャビティ壁に前記開口部を形成するための凸部を形成する必要がなく、しかも、金型において第１及び第２部材の左右側面の一部分を形成するキャビティの形状のみを変更することにより、側面無開口タイプと側面有開口タイプの容器とを製造することができる。
【発明を実施するための最良の形態】
【００２５】
以下、本発明の一実施の形態を図に従って説明する。図１に示すように、本実施の形態に係る揮散器１は、第１部材２と第２部材４とを結合して構成される容器６と、この容器内に配置された後述する揮散体７とからなる。
【００２６】
前記第１部材２は、図２に示すように、共に略正方形状の底面部２１と、該底面部２１の一端部に立設された背面部２２とが一体的に形成されているとともに、これら底面部２１と背面部２２の両側縁に連なる相対向する左右側面の一部分である下部左側面部２３と下部右側面部２４とが一体的に形成されている。
【００２７】
前記底面部２１上には、位置決め手段としてのコーナーピース２５が正方形の四隅部に突設されており、これらコーナーピース２５は、内側に湾曲した形状に成形されている。また、底面部２１の前記背面部２２に対応する他端部には、中央部に第１係止片２６が立設されている。この第１係止片２６は、前記背面部２２に対して１／４程度の高さであって、両側縁２６ａ、２６ａは、図２（ａ）に示すように、先端部が近接する方向の斜状に形成されている。
【００２８】
なお、底面部２１には、前記第１係止片２６の外側に起立部２９が一体的に形成されており、この起立部２９には、横方向に溝３０が形成されている。
【００２９】
前記背面部２２の内側面には、第１係合部３７が形成されており、この第１係合部３７は上下方向に延在する平行な一対の凸条２７、２７を有している。これら凸条２７、２７は、下端部が前記底面部２１に達し、上端部が背面部２２の上縁よりもやや下方まで達する長さでからなる。また、凸条２７、２７には、上端部を除く下部側の先端部に相対向する方向に突出する突縁２７ａが形成されている。さらに、凸条２７、２７間の中央部であって、背面部２２の上端部付近には、支持凸部２８が形成されている。
【００３０】
前記下部左側面部２３と下部右側面部２４とは同一形状であって、容器６における左右側面の面積に対して１／２未満の面積からなる。これら下部左側面部２３と下部右側面部２４の下部側には湾曲状に後退した後退部３１が形成され、上部側には湾曲状に突出した突出部３２が形成されている。これら後退部３１と突出部３２とは、点対称の形状である。
【００３１】
前記第２部材４は、図３に示すように、共に略正方形状であって前記底面部２１と略統一形状の上面部４１と、該上面部４１の一端部に垂設され前記背面部２２と略同一形状の正面部４２とが一体的に形成されているとともに、これら上面部４１と正面部４２の両側縁に連なる相対向する左右側面の一部分である上部左側面部４３と上部右側面部４４とが一体的に形成されている。
【００３２】
前記上面部４１には、複数の上面開口部４５が形成されている。上面部４１の前記正面部４２に対応する一端部には、中央部に第２係止片４６が垂設されている。この第２係止片４６は、前記正面部４２よりもやや短い程度の長さであるとともに、前記第１係合部３７の凸条２７、２７間に挿入可能な幅を有している。また、第２係止片４６の両側縁４６ａ、４６ａは、図２（ａ）に示すように、先端部が近接する方向の斜状に形成されており、これにより第２係止片４６は、前記突縁２７ａを有する凸条２７、２７間に合致する横断面形状に形成されている。さらに、第２係止片４６の外側面であって、上端部には前記支持凸部２８に選択的に係合する複数段の支持凹部４８が形成されている
【００３３】
なお、上面部４１には、前記第２係止片４６の外側に垂設部４９が一体的に形成されており、この垂設部４９には、横方向に溝５０が形成されている。
【００３４】
前記正面部４２の内側面には、第２係合部５７が形成されており、この第２係合部５７は上下方向に延在する平行な一対の凸条４７、４７を有している。これら凸条４７、４７は、上端部が前記上面部４１に達し、下端部が正面部４２の下縁よりもやや上方まで達する長さからなる。また、凸条４７、４７には、下端部を除く上部側の先端部に相対向する方向に突出する突縁４７ａが形成されており、これにより前記第１係止片２６が、前記突縁４７ａを有する凸条４７、４７間に合致する横断面形状に形成されている。
【００３５】
前記上部左側面部４３と上部右側面部４４とは同一形状であって、容器６における左右側面の面積に対して１／２未満の面積からなる。これら上部左側面部４３と上部右側面部４４の上部側には湾曲状に後退した後退部５１が形成され、下部部側には湾曲状に突出した突出部５２が形成されている。これら後退部５１と突出部５２とは、点対称の形状である。さらに、前記下部左側面部２３と上部左側面部４３、下部右側面部２４と上部右側面部４４も点対称の形状である。
【００３６】
また、容器６内には、図４に示すように、揮散体７が収容配置されている。揮散体７は、内容器７１とこの内容器７１内に充填されたゲル状の薬剤７２とからなる。内容器７１は、横断面が略正方形であって、下端部の四隅部が前記コーナーピース２５の内側に合致する大きさである。薬剤７２は、揮散して周囲空間に芳香、消臭、防虫等の所定の効果を発生する揮散性薬剤である。
【００３７】
以上の構成に係る本実施の形態において、第１部材２は、底面部２１と、該底面部２１の一端部に立設された背面部２２と、これら底面部２１と背面部２２の両側縁に連なる下部左右側面部２３、２４とを備えることから、第２部材４を除去すると、前面及び左右側面における下部左右側面部２３、２４以外の他の部分が開放状となる。したがって、第２部材４を除去すれば、第１部材２の底面部２１上に配置されている揮散体７を取り出したり、交換する際の作業が容易となる。
【００３８】
また、第２部材４を第１部材２の上方から下方に移動させて、図５〜図７に示すように、第２部材４の第２係止片４６を第１部材２の第１係合部３７に係合させ、第１部材２の第１係止片２６を第２部材４の第２係合部５７に係合させる簡単な操作により、第１部材２と第２部材４とが合体することにより、六面を有する略立方体の容器６となる。
【００３９】
このとき、第１部材２の下部左側面部２３と下部右側面部２４、及び第２部材４の上部左側面部４３と上部右側面部４４は、共に容器６における左右側面の面積に対して１／２未満の面積からなる。したがって、図８に示すように、容器６の側面部には、下部左側面部２３と上部左側面部４３との間、及び下部右側面部２４と上部右側面部４４との間に、側面開口部６０が形成されることとなり、左右側面に開口部のある側面有開口タイプの容器６となる。
【００４０】
しかし、第１部材２の下部左側面部２３及び下部右側面部２４と、第２部材４の上部左側面部４３及び上部右側面部４４とが補完し合って、左右側面の全面を形成する場合には、左右側面に開口部のない側面無開口タイプの容器となる。
【００４１】
したがって、第１及び第２部材２、４の左右側面の一部分の形状により、側面無開口タイプと側面有開口タイプの容器６とすることができる。よって、金型においてキャビティ壁に側面開口部６０を形成するための凸部を形成する必要がなく、しかも、金型において第１部材２の下部左側面部２３と下部右側面部２４、及び第２部材４の上部左側面部４３と上部右側面部４４を形成するキャビティの形状のみを変更することにより、側面無開口タイプと側面有開口タイプの容器６とを製造することができる。
【００４２】
また、前記凸条２７、４７の先端部に相対向する方向に突出する突縁２７ａ、４７ａが形成されていることから、前記第１及び第２係止片２６、４６は前記突縁２７ａ、４７ａの内側に挿入される。したがって、係合した第２部材４の第２係止片４６と第１部材２の第１係合部３７、及び第１部材２の第１係止片２６と第２部材４の第２係合部５７の離脱が防止されて、第１及び第２部材２、４を確実に合体した状態に維持することができる。
【００４３】
この第１及び第２部材２、４が合体した状態において、容器６は、左右側面においても、他の面と同様に段差のない面となることから、左右側面において段差による美感が損なわれることはない。しかも、側面開口部６０は点対称の形状となることから、容器６の左右側面において美感の向上を図ることもできる。
【００４４】
このようにして、図８に示した通常時の側面開口部６０が形成された容器６を有する揮散器１を部屋等の適宜の箇所に配置すると、側面開口部６０から容器６内に侵入した空気中に薬剤７２の薬剤成分が揮散し、薬剤成分が揮散した空気が上面開口部４５から流出して、周囲空間に所定の効果を発生させる。このとき、揮散体７はコーナーピース２５により、容器６の中央部に位置決めされていることから、揮散体７からの所定の揮散率で薬剤７２を揮散させることができ、揮散体７の使用終期を一定に保持することができる。
【００４５】
しかし、ユーザがより高い薬効を望む場合には、第１部材２の溝３０に一方の手指の爪を引っ掛けるとともに、第２部材４の溝５０に他方の手指の爪を引っ掛けて、第２部材４を上方に移動させる。すると、図４に示すように、支持凸部２８がいずれかの支持凹部４８に係合して、第２部材４は、通常時（図８）よりも高い位置に支持され、その結果、側面開口部６０の開口面積が増大する。これにより、側面開口部６０から容器６内に侵入する空気量を増大させることができ、より多量の薬剤成分を薬剤７２から揮散させることができる。
【００４６】
なお、本実施の形態においては、容器２を略立方体としたが、これに限ることなく他の形状であってもよい。また、側面開口部６０の形状も実施の形態に示したものに限らず、どのような形状であってもよい。このように側面開口部６０の形状を変更する場合には、前記下部左側面部２３と上部左側面部４３を形成するキャビティ、又は下部右側面部２４と上部右側面部４４を形成するキャビティの形状のいずれか一方みを変更すればよい。
また、前記下部左側面部２３と上部左側面部４３とを同一形状とし、下部右側面部２４と上部右側面部４４とを同一形状としたが、これらを異なる形状としてもよい。また、下部左側面部２３と上部左側面部４３と、下部右側面部２４と上部右側面部４４とを点対称の形状としたが、点対称の形状でなくてもよい。
【図面の簡単な説明】
【００４７】
【図１】本発明の一実施の形態に係る揮散器の斜視図である。
【図２】（ａ）は第１部材の平面図、（ｂ）は正面図、（ｃ）は右側面図、（ｄ）は背面図、（ｅ）は（ｃ）のＢ−Ｂ矢示断面図、（ｆ）は（ａ）のＡ−Ａ矢示断面図、（ｇ）は（ｃ）のＣ−Ｃ矢示断面図、（ｈ）は底面図である。
【図３】（ａ）は第２部材の平面図、（ｂ）は（ｆ）のＢ−Ｂ矢示断面図、（ｃ）は（ｇ）のＡ−Ａ矢示断面図、（ｄ）は（ｆ）のＣ−Ｃ矢示断面図、（ｅ）は正面図、（ｆ）は右側面図、（ｇ）は底面図である。
【図４】（ａ）は第２部材を上方に変位させた状態における図１のＡ−Ａ矢示断面図、（ｂ）は同状態における右側面図である。
【図５】揮散体を除去した状態における図１のＡ−Ａ矢示断面図である。
【図６】揮散体を除去した状態における図１のＢ−Ｂ矢示断面図である。
【図７】揮散体を除去した状態における図１のＣ−Ｃ矢示断面図である。
【図８】揮散器の通常時の使用状態における右側面図である。
【符号の説明】
【００４８】
１    揮散器
２    第１部材
４    第２部材
６    容器
７    揮散体
２１    底面部
２２    背面部
２３    下部左側面部
２４    下部右側面部
２５    コーナーピース
２６    第１係止片
２６ａ    両側縁
２７    凸条
２７ａ    突縁
２８    支持凸部
２９    起立部
３０    溝
３１    後退部
３２    突出部
３７    第１係合部
４１    上面部
４２    正面部
４３    上部左側面部
４４    上部右側面部
４５    上面開口部
４６    第２係止片
４７    凸条
４７ａ    突縁
４８    支持凹部
４９    垂設部
５０    溝
５１    後退部
５２    突出部
５７    第２係合部
６０    側面開口部
７１    内容器
７２    薬剤
【図１】
2008302944.tif 000003
【図２】
2008302944.tif 000004
【図３】
2008302944.tif 000005
【図４】
2008302944.tif 000006
【図５】
2008302944.tif 000007
【図６】
2008302944.tif 000008
【図７】
2008302944.tif 000009
【図８】
2008302944.tif 000010